(57)【特許請求の範囲】
【請求項１】
送風ダクトを介して冷却器で冷却した冷気を貯蔵空間に送風する送風ファンと、前記送風ファンを制御する制御部と、前記送風ダクト内に凸設され前記送風ファンから吹き出された冷気を前記送風ダクトに導くガイド部と、を備え、
前記ガイド部は、前記送風ダクトへ向けて陥没する凹部を備え、前記送風ファンと前記制御部とを接続する接続部が前記凹部に収納されていることを特徴とする冷蔵庫。
【請求項２】
前記送風ファンは前記貯蔵空間の背面における前記冷却器の上方に配設され、前記ガイド部は前記送風ファンの下方であって前記冷却器の上方に配設されていることを特徴とする請求項１に記載の冷蔵庫。
【請求項３】
前記貯蔵空間は上下に区画されて上方に冷蔵空間が配設され下方に冷凍空間が配設され、前記送風ダクトは前記ガイド部により前記冷蔵空間に冷気を導入する冷蔵用送風ダクトと前記冷凍空間に冷気を導入する冷凍用送風ダクトとに分流され、前記冷蔵用送風ダクトが前記ガイド部の上方に配設されていることを特徴とする請求項１又は２に記載の冷蔵庫。
【請求項４】
一つの前記冷却器及び一つの前記送風ファンからの冷気の循環により前記貯蔵空間を冷却することを特徴とする請求項１〜３に記載の冷蔵庫。
【請求項５】
前記冷蔵空間は上下に区画され上方に冷蔵室が配設され下方に野菜室が配設されていることを特徴とする請求項１〜４に記載の冷蔵庫。
【発明の詳細な説明】
【技術分野】
【０００１】
本発明は、冷蔵庫に関し、特に、貯蔵空間に冷気を供給するダクト内の冷気流れを円滑にした冷蔵庫に関する。
【背景技術】
【０００２】
冷蔵室、野菜室、及び冷凍室を備えた冷蔵庫として、冷却器において生成された冷気の一部をダンパ装置及び冷蔵室冷却用ダクトなどを介して冷蔵室や野菜室へ送風ファンによって強制送風し、また、冷凍室冷却用ダクトを介して冷却器において生成された冷気の一部を冷凍室へ強制送風するものが知られている（例えば、特許文献１参照）。
【０００３】
このような冷蔵庫では、機械室などに配設された制御部が送風ファンの回転数やダンパ装置の開閉を制御することで各貯蔵室に供給する冷気量を調整するが、冷蔵庫のレイアウトによっては制御部と送風ファンやダンパ装置とを接続する接続部やこれを収納するハウジングを冷気が流通するダクト内に設ける場合がある。このような場合、接続部やハウジングが冷気の流れを遮って円滑な冷気の流れを妨げるおそれがあり問題である。
【０００４】
特に、１つの冷却器によって複数の貯蔵室を冷却する場合、各貯蔵室へ冷気を効率よく供給するため送風ファンの近傍にダクトの分岐を設けるが、ダクトの分岐を設けた送風ファン周辺では冷気流れが複雑になり冷気のよどみが発生し易く、このような送風ファン周辺に上記した接続部やハウジングを設けると更に冷気がよどみ易くなり冷蔵庫の冷却効率が悪化する問題がある。
【特許文献１】特開２００７−７１４８４号
【発明の開示】
【発明が解決しようとする課題】
【０００５】
本発明は上記問題を考慮してなされたものであり、冷気を流通させるダクト内部に制御部と送風ファンなどを接続する接続部やこれを収納するハウジングを配設する場合であっても、冷気の流れを妨げることなく円滑に冷気を流通させることができる冷蔵庫を提供することを目的とする。
【課題を解決するための手段】
【０００６】
本発明の冷蔵庫は、送風ダクトを介して冷却器で冷却した冷気を貯蔵空間に送風する送風ファンと、前記送風ファンを制御する制御部と、前記送風ダクト内に凸設され前記送風ファンから吹き出された冷気を前記送風ダクトに導くガイド部と、を備え、前記ガイド部は、前記送風ダクトへ向けて陥没する凹部を備え、前記送風ファンと前記制御部とを接続する接続部が前記凹部に収納されていることを特徴とする。
【発明の効果】
【０００７】
本発明の冷蔵庫では、冷気の流れを妨げることなく、冷気を流通させるダクト内部に制御部と送風ファンなどを接続する接続部をレイアウトすることができる。
【発明を実施するための最良の形態】
【０００８】
以下、図面に基づき本発明の１実施形態について説明する。図１は本実施形態に係る冷蔵庫１０の扉を省略した正面図、図２は図１のＡ−Ａ断面図である。図３はエバカバー５６とファンカバー５７を示す斜視図である。
【０００９】
冷蔵庫１０は、図１に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１０】
冷蔵空間２０は、図２に示すように、さらに仕切壁２１によって上下に区画され、上部空間に複数段の載置棚２２を設けた冷蔵室２３が設けられ、下部空間に引き出し式の野菜容器２４を配置する野菜室２５が設けられている。また、野菜室２５の下方に配置した冷凍空間４０には、上下２段の収納容器４１を配置する冷凍室４２が設けられている。
【００１１】
冷蔵室２３の開口部は、冷蔵庫本体１１の一側部の上下に設けられたヒンジにより回動自在に枢支された冷蔵室扉２６により閉塞されており、野菜室２５と冷凍室４２の開口部は、引き出し式扉２７，４３により閉塞され、引き出し式扉２７，４３の裏面側に固着した左右一対の支持枠に野菜容器２４及び収納容器４１が保持されており、開扉動作とともに野菜容器２４及び収納容器４１が庫外に引き出されるように構成されている。
【００１２】
そして、冷蔵空間２０及び冷凍空間４０の背部、例えば、野菜室２５及び冷凍室５４の背部には１つの冷却器５１を収納する冷却器室５２が配設され、冷却器５１の上方であって冷蔵室２３の背部に送風ファン５３が配設されている。
【００１３】
冷却器５１は、冷蔵庫１０の背面下部の断熱壁外に凹陥された機械室５４に配設した圧縮機５５の吐出側からの冷媒を図示しない冷凍サイクルを介して導入されることで冷却され、この冷却器５１との熱交換により低温化された冷気を送風ファン５３によって冷蔵空間２０及び冷凍空間４０に分流して供給することで冷蔵室２３、野菜室２５及び冷凍室４２に導入する。
【００１４】
詳細には、送風ファン５３は、冷却器５１により冷却された冷気を上方に吸い上げ前方に送風するように配置されており、冷却器５１の前面を覆うエバカバー５６とその前方に配設されたファンカバー５７との間に形成された送風ダクト５８に送風する。
【００１５】
送風ダクト５８は、冷蔵空間２０に冷気を導入する冷蔵用送風ダクト６０と冷凍空間４０に冷気を導入する冷凍用送風ダクト６１に分流されており、送風ダクト５８と冷蔵用送風ダクト６０との分岐部６２に配設されたダンパ５９を開閉制御することで、冷蔵用送風ダクト６０及び冷凍用送風ダクト６１へ導入する冷気量を調整する。
【００１６】
冷蔵用送風ダクト６０は、送風ファン５３の側方に設けられた分岐部６２より上方に延びて冷蔵室２３の背面上部まで配設され、所定位置に冷蔵室２３に開口する吹出口６３が穿設されており冷蔵室２３に冷気を導入する。吹出口６３から吹き出されて冷蔵室２３内を循環した冷気は、冷蔵室２３の底面あるいは下方背面に設けられた連通路６４を介して野菜室２５に冷気を導入する。
【００１７】
連通路６４から野菜室２５に導入された冷気は、野菜室２５内部に収納された野菜容器２４の周囲を流通して間接的に冷却することで野菜容器２４内を高湿度の雰囲気に保持して冷却した後、野菜室２５の下方背面に配設された吸込口６５からリターンダクト６６を介して冷却器５１に戻るようになっている。
【００１８】
冷凍用送風ダクト６１は、送風ファン５３の吹出部分より下方に延びて冷凍室４２の背面上部まで配設され、所定位置に冷凍室４２に開口する吹出口６７が穿設されており冷凍室４２に冷気を導入する。吹出口６７から吹き出されて冷凍室４２内を循環した冷気は、冷凍室の下方背面に配設された吸込口６８から吸い込まれ冷却器５１に戻るようになっている。
【００１９】
また、送風ダクト５８内には、送風ファン５３から送風ダクト５８内に吹き出された冷気の一部を冷蔵用送風ダクト６０に導くガイド部７０が凸設されている。
【００２０】
このガイド部７０は、冷蔵用送風ダクト６０の下方においてファンカバー５７を後方すなわち送風ダクト５８側に凸設させてなり、正面視において上方に行くにしたがって細くなるように送風ダクト５８側の側面が傾斜して、冷蔵用送風ダクト６０に向かう冷気流通方向の下流側に行くほど流路が広がっている。これにより、送風ファン５３より送風ダクト５８内に吹き出された冷気がよどむことなくスムーズに上方に延びる冷蔵用送風ダクト６０へ案内される。
【００２１】
図３に示すように、ガイド部７０を送風ダクト５８内に設けるためにファンカバー５７を後方に凸設することでファンカバー５７の前面に形成された凹部７０ａには、接続部としての中継基板７２が収納されており、中継基板７２に送風ファン５８、ダンパ５９及び機械室５４に配設された制御部７１がリード線７５，７６，７７によって接続されることで、制御部７１から制御信号が中継基板７２を介して送風ファン５３及びダンパ５９に入力され、送風ファン５８の回転数及びダンパ５９の開閉を駆動制御する。
【００２２】
リード線７５，７６，７７は、ファンカバー５７の側面に設けられた前後方向に延びる凹溝７３に沿ってファンカバー５７の後方から凹部７０ａへ引き出され、凹部７０ａにおいて中継基板７２に接続され、さらにファンカバー５７の前面をカバー体７４で覆っている。
【００２３】
なお、本実施形態ではファンカバー５７を送風ダクト５８側に凸設させてガイド部７０を形成したが、例えばガイド部７０をエバカバー５６あるいはファンカバー５７の送風ダクト５８側に取り付け、その内部において、送風ファン５８、ダンパ５９及び制御部７１のリード線７５，７６，７７と中継基板７２とを接続してもよい。
【００２４】
以上のように、本実施形態の冷蔵庫１０では、送風ファン５３と制御部７１とを接続する中継基板７２が、送風ファン５３から吹き出された冷気を送風ダクト５８に導くガイド部７０の内部に配設されているため、送風ダクト５８内部のおいて冷気の流れを妨げることなく送風ファン５３及び制御部７１を中継基板７２を介して接続することができる。
【００２５】
また、冷却器５２で冷却された後、送風ファン５３により上方に導かれ送風ダクト５８に吹き出され冷気は、重力により吹出方向に対し若干下方に向けて吹き出すこととなるが、送風ファン５３の下方にガイド部７０が配設されているため、送風ファン５３から吹き出した冷気がガイド部７０と接触してスムーズに送風ダクト５８へ導かれる。
【００２６】
しかも、ガイド部７０の上方に送風ダクト５８から分流された冷蔵用送風ダクト６０が配設されているため、送風ファン５３の近傍に送風ダクト５８の分岐を設けても冷気のよどみが発生し難くスムーズに冷気を分流することができる。
【図面の簡単な説明】
【００２７】
【図１】本発明の第１実施形態に係る冷蔵庫の扉を省略した正面図である。
【図２】図１のＡ−Ａ断面図である。
【図３】エバカバーとファンカバーを示す斜視図である。
【符号の説明】
【００２８】
１０…冷蔵庫  ２０…冷蔵空間  ４０…冷凍空間
５１…冷却器  ５３…送風ファン ５８…送風ダクト  
７０…ガイド部  ７１…制御部  ７２…接続部  
【図１】
0005175578.tif 000002
【図２】
0005175578.tif 000003
【図３】
0005175578.tif 000004